(57)【要約】【課題】遊技性向上を図る。【解決手段】入賞口を円形に囲む態様に配置された複数の開閉体と、複数の開閉体を放射状に展開開放することで、例えば、上部左の開閉体４だけが開いた場合は上部左右の開閉体４；５との間に形成される空間、上部左の開閉体４と中央左の開閉体６との形成される空間が遊技領域から入賞口３への球の入賞通路となり、上部左の開閉体４と中央左の開閉体６との双方が開いた場合でも上部左の開閉体４が開放された中央左の開閉体６からの球の入賞を妨げることがなく、全部の開閉体４−９が開いた場合は全部の開閉体４−９が放射状に開いて球が可変入賞部品１の全周から入賞する可能性がある。【選択図】　　　　図１
2004121657.tif 000002
【特許請求の範囲】
【請求項１】
基部と、基部に形成された入賞口と、入賞口を囲む態様に配置された複数の開閉体と、複数の開閉体を放射状に展開開放する開閉駆動機構とを備えたことを特徴とするパチンコ機の可変入賞部品。
【請求項２】
複数の開閉体が上部左右、中央左右、下部左右の６個であって、開閉駆動機構が上部左右の開閉体を斜め上方に旋回し、中央左右の開閉体を横方向に展開し、下部左右の開閉体を斜め下方に旋回する請求項１記載のパチンコ機の可変入賞部品。
【発明の詳細な説明】
【０００１】
【発明の属する技術分野】
本発明はパチンコ機の入賞口を開閉する可変入賞部品に関する。
【０００２】
【従来の技術】
従来のパチンコ機の可変入賞部品は上部左入賞口に対する１つの開閉体と上部右入賞口に対する１つの開閉体と下部入賞口を半分ずつ開閉する２つの開閉体とからなる４つの開閉体を別々の駆動源で選択的に開放することで、上部左入賞口上部右入賞口、下部入賞口から球を入賞するようにしている（例えば、特許文献１参照）。
【０００３】
【特許文献１】
実公平３−１３３４０号公報（第１頁、実用新案登録請求の範囲、図１、図４）
【０００４】
【発明が解決しようとする課題】
しかしながら、前記従来例は上部左入賞口に対する１つの開閉体と上部右入賞口に対する１つの開閉体とを左右に直線的に開閉し、下部入賞口を半分ずつ開閉する２つの開閉体も左右に直線的に開閉する構造であるため、上部の開閉体と下部の開閉体とが開いている場合は、上部の開閉体が邪魔となって、下部入賞口に球が入賞しづらく、遊技性に欠けるという問題点があった。
【０００５】
そこで、本発明は遊技性を向上することができるパチンコ機の可変入賞部品を提供するものである。
【０００６】
【課題を解決するための手段】
本発明にあっては、基部と、基部に形成された入賞口と、入賞口を囲む態様に配置された複数の開閉体と、複数の開閉体を放射状に展開開放する開閉駆動機構とを備えたことによって、展開した上部の開閉体と下部の開閉体との間の空間が入賞口への入賞通路となるので、展開した上部の開閉体が邪魔にはならず、入賞口に球が入賞し易くなり、遊技性を向上することができる。また、本発明にあっては、複数の開閉体が上部左右、中央左右、下部左右の６個であって、開閉駆動機構が上部左右の開閉体を斜め上方に旋回し、中央左右の開閉体を横方向に展開し、下部左右の開閉体を斜め下方に旋回すれば、展開した上部の開閉体と下部の開閉体との間の入賞口への入賞通路が広くなり、入賞口に球が一層入賞し易くなる。
【０００７】
【発明の実施の形態】
図１から図６は一実施形態であって、図１は可変入賞部品１の外観を示し、図２は可変入賞部品１の正面を模式的に示し、図３から図５は可変入賞部品１の開閉動作を示し、図６は可変入賞部品１の開閉パターンを示す。
【０００８】
図１を参照し、可変入賞部品１について説明する。可変入賞部品１は可変入賞部品１を図外の遊技盤に取り付けるための基部２に、中央の入賞口３、入賞口３を円形に囲む態様に配置された複数の開閉体４；５；６；７；８；９、複数の開閉体４−９の開閉を案内するガイド孔１０；１１；１２；１３；１４；１５；１６；１７；１８；１９；２０；２１、基部２を遊技盤に取り付けるための木ねじのような止ねじを挿入するための貫通孔２２を備える。各々の開閉体４−９は外周壁と前壁とからなる弧状であって、全部の開閉体４−９が図１のように閉じた場合に、開閉体４−９それぞれの外周壁が１つの環状を形成するように連接して入賞口３の周縁を円形または環状に囲む。
【０００９】
図２を参照し、可変入賞部品１の各々の開閉体４−９を開閉する開閉駆動機構２３；２４；２５；２６；２７について説明する。上部左右の開閉体４；５に対応する開閉駆動機構２３；２４は左右対称の形態である。開閉駆動機構２３は電磁ソレノイド３０のプランジャ３１がコイルスプリングのようなばね３２のばね力を突出方向に受けており、プランジャ３１と支持軸（支点）３３を回転中心として回転するレバー３４の一端部とがリンクプレート３５で連結され、レバー３４の他端部に設けられたローラ３６が支持軸３３を中心とする円周上に位置するように基部２に形成されたガイド孔１０を貫通して開閉体４に連結され、開閉体４に設けられたローラ３７が上記ガイド孔１０と交差する格好で基部２に形成されたガイド孔１１に挿入された形態である。
【００１０】
開閉駆動機構２４は電磁ソレノイド４０のプランジャ４１がコイルスプリングのようなばね４２のばね力を突出方向に受けており、プランジャ４１と支持軸（支点）４３を回転中心として回転するレバー４４の一端部とがリンクプレート４５で連結され、レバー４４の他端部に設けられたローラ４６が支持軸４３を中心とする円周上に位置するように基部２に形成されたガイド孔１２を貫通して開閉体５に連結され、開閉体５に設けられたローラ４７が上記ガイド孔１２と交差する格好で基部２に形成されたガイド孔１３に挿入された形態である。
【００１１】
中央左右の開閉体６；７に対応する開閉駆動機構２５；２６は左右対称の形態である。開閉駆動機構２５は電磁ソレノイド５０のプランジャ５１がコイルスプリングのようなばね５２のばね力を突出方向に受けており、プランジャ５１と支持軸（支点）５３を回転中心として回転するレバー５４の一端部とがリンクプレート５５で連結され、開閉体６に上下２段に設けられたローラ５６がレバー５４の他端部に形成された長孔５７と基部２に上下２段に形成されたガイド孔１４；１５とに挿入された形態である。
【００１２】
開閉駆動機構２６は電磁ソレノイド６０のプランジャ６１がコイルスプリングのようなばね６２のばね力を突出方向に受けており、プランジャ６１と支持軸（支点）６３を回転中心として回転するレバー６４の一端部とがリンクプレート６５で連結され、開閉体７に上下２段に設けられたローラ６６がレバー６４の他端部に形成された長孔６７と基部２に上下２段に設けられたガイド孔１６；１７とに挿入された形態である。
【００１３】
下部左右の開閉体８；９に対応する開閉駆動機構２７は図５にも示すように電磁ソレノイド７０のプランジャ７１とコイルスプリングのようなばね７２のばね力と四節リンク７３；７４とで平行運動して左右に開閉する形態である。つまり、左側の開閉体８では四節リンク７３における２つの支持軸（支点）７５；７６を回転中心として回転する２本のリンクプレート７７；７８と四節リンク７３における左側の開閉体８に設けられた２個の可動軸７９；８０とが基部２の２つのガイド孔１８；１９を経由して個別に連結される。右側の開閉体９では四節リンク７４における２つの支持軸（支点）８１；８２を回転中心として回転する２本のリンクプレート８３；８４と四節リンク７４における右側の開閉体９に設けられた２個の可動軸８５；８６とが基部２の２つのガイド孔２０；２１を経由して個別に連結された形態である。電磁ソレノイド３０；４０；５０；６０；７０および支持軸３３；４３；５３；６３；７５；７６；８１；８２は基部２または遊技盤に取り付けられる。
【００１４】
図３を参照し、上部左右の開閉体４；５の動きについて上部左の開閉体４を例として説明する。開閉体４が実線で示すように閉じた状態において、電磁ソレノイド３０が電力の供給でプランジャ３１を吸引すると、レバー３４が支持軸３３を回転中心として矢印Ｘ１方向に回転するのに伴い、開閉体４がローラ３７を回転中心として実線で示す格好から仮想線で示す格好に開く。その状態において、上記電磁ソレノイド３０への電力供給が遮断されると、プランジャ３１がばね３２のばね力で突出し、レバー３４が支持軸３３を回転中心として矢印Ｘ１方向と逆方向に回転するのに伴い、開閉体４がローラ３７を回転中心として仮想線で示す格好から実線で示す格好に閉じる。
【００１５】
図４を参照し、中央左右の開閉体６；７の動きについて中央右の開閉体７を例として説明する。開閉体７が実線で示すように閉じた状態において、電磁ソレノイド６０が電力の供給でプランジャ６１を吸引すると、レバー６４が支持軸６３を回転中心として矢印Ｘ２方向に回転するのに伴い、上下２段のローラ６６が基部２のガイド孔１６；１７で右方向に直線的に案内されて、開閉体７が実線で示す格好から仮想線で示す格好に開く。その状態において、上記電磁ソレノイド６０への電力供給が遮断されると、プランジャ６１がばね６２のばね力で突出し、レバー６４が支持軸６３を回転中心として矢印Ｘ２方向と逆方向に回転するのに伴い、上下２段のローラ６６が基部２のガイド孔１６；１７で左方向に直線的に案内されて、開閉体７が仮想線で示す格好から実線で示す格好に閉じる。
【００１６】
図５を参照し、下部左右の開閉体８；９の動きについて説明する。開閉体８；９が実線で示すように閉じた状態において、電磁ソレノイド７０が電力の供給でプランジャ７１を吸引すると、左右の開閉体８；９に設けられた横長孔８９；９０に挿入されたローラ９１；９２が矢印Ｘ３方向に下降することで左右の開閉体８；９が２つの支持軸７５；７６を回転中心として回転する四節リンク７３と２つの支持軸８１；８２を回転中心として回転する四節リンク７４との動きによって実線で示す格好から仮想線で示す格好に開く。その状態において、上記電磁ソレノイド７０への電力供給が遮断されると、プランジャ７１がばね７２のばね力で突出し、ローラ９１；９２が矢印Ｘ３方向と逆方向に上昇することで左右の開閉体８；９が２つの四節リンク７３；７４の動きによって仮想線で示す格好から実線で示す格好に閉じる。
【００１７】
図６を参照し、可変入賞部品１における開閉体４−９の開閉パターンについて説明する。図６のａ図に示す開閉パターンは全部の開閉体４−９が閉じた形態である。図６のｂ図に示す開閉パターンは上部左の開閉体４だけが開いた形態である。図６のｃ図に示す開閉パターンは上部右の開閉体５だけが開いた形態である。図６のｄ図に示す開閉パターンは中央右の開閉体７だけが開いた形態である。
図６のｅ図に示す開閉パターンは中央左の開閉体６だけが開いた形態である。図６のｆ図に示す開閉パターンは下部左右の開閉体８；９だけが開いた形態である。図６のｇ図に示す開閉パターンは全部の開閉体４−９が開いた形態である。開閉パターンは上記ａ図からｇ図だけでなく、上部左右の開閉体４；５の双方が開いたり、中央左右の開閉体６；７の双方が開いたり、上部左の開閉体４と中央左の開閉体６との双方が開いたり、上部右の開閉体５と中央右の開閉体７との双方が開いたり、上部左の開閉体４と中央右の開閉体７との双方が開いたり、上部右の開閉体５と中央右の開閉体７との双方が開いたり、それ以外の上部と中央と下部との組み合わせで開いたりなどの種々の形態がある。
【００１８】
本実施形態の構造によれば、図６のａ図に示すように全部の開閉体４−９が閉じた場合は可変入賞部品１の取り付けられた遊技盤の遊技領域から入賞口３への球の入賞を拒否する。図６のｂ図に示すように上部左の開閉体４だけが開いた場合は上部左右の開閉体４；５との間に形成される空間、上部左の開閉体４と中央左の開閉体６との形成される空間が上記遊技領域から入賞口３への球の入賞通路となり、つまり、球が開いた開閉体４の両側から入賞口３に入賞する可能性がある。上部左の開閉体４と中央左の開閉体６との双方が開いた場合でも図６のｇ図に示すように上部左の開閉体４が開放された中央左の開閉体６からの球の入賞を妨げることはない。図６のｇ図に示すように全部の開閉体４−９が開いた場合は全部の開閉体４−９が放射状に開くので、球が可変入賞部品１の全周から入賞する可能性がある。
【図面の簡単な説明】
【図１】一実施形態の可変入賞部品を示す斜視図。
【図２】同実施形態の可変入賞部品内部構造を示す模式図。
【図３】同実施形態の１つの開閉駆動機構を示す模式図。
【図４】同実施形態のもう１つの開閉駆動機構を示す模式図。
【図５】同実施形態のさらに別の１つの開閉駆動機構を示す模式図。
【図６】同実施形態の可変入賞部品１の開閉パターンを示す模式図。
【符号の説明】
１　可変入賞部品
４−９　開閉体
２３−２７　開閉駆動機構
【図１】
2004121657.tif 000003
【図２】
2004121657.tif 000004
【図３】
2004121657.tif 000005
【図４】
2004121657.tif 000006
【図５】
2004121657.tif 000007
【図６】
2004121657.tif 000008